(57)【要約】【課題】施工現場での作業効率の向上を図りつつそれに起因した見栄えの低下を抑制することができる建物の間仕切壁構造及びその施工方法の提供を目的とする。【解決手段】間仕切壁５０の上端部が挿入される開放部分２２が形成された上側受け部材２１と、床スラブ１２と間仕切壁５０との間に介在するように形成された底板部２７ａ及び当該底板部２７ａから上方に起立して設けられ間仕切壁５０の一方の壁面に当接する起立部２８ａを有する第１下側受け部材２５ａと、床スラブ１２と間仕切壁５０との間に介在するように形成された底板部２７ｂ及び当該底板部２７ｂから上方に起立して設けられ間仕切壁５０の他方の壁面に当接する起立部２８ｂを有する第２下側受け部材２５ｂとを備えている。【選択図】      図３
2016223099.tif 000002
【特許請求の範囲】
【請求項１】
屋内空間を仕切る間仕切壁を備えた建物の間仕切壁構造において、
前記間仕切壁の上端部が挿入される挿入部が形成された上側受け部材と、
床部及び前記間仕切壁の間に介在するようにして形成された第１底受け部と、当該第１底受け部から上方に起立して設けられ前記間仕切壁の一方の壁面に沿って延びる第１起立部とを有する第１下側受け部材と、
前記床部及び前記間仕切壁の間に介在するようにして形成された第２底受け部と、当該第２底受け部から上方に起立して設けられ前記間仕切壁の他方の壁面にっ沿って延びる第２起立部とを有する第２下側受け部材と
を備えていることを特徴とする建物の間仕切壁構造。
【請求項２】
前記第１起立部が前記第１底受け部の端部に沿うようにして形成されることにより前記第１下側受け部材は断面略Ｌ字状をなしており、
前記第２起立部が前記第２底受け部の端部に沿うようにして形成されることにより前記第２下側受け部材は断面略Ｌ字状をなしていることを特徴とする請求項１に記載の建物の間仕切壁構造。
【請求項３】
前記第１下側受け部材及び前記第２下側受け部材は、前記間仕切壁の下方において前記第１底受け部と前記第２底受け部との間に隙間が形成されるように設けられていることを特徴とする請求項１又は請求項２に記載の建物の間仕切壁構造。
【請求項４】
前記第１下側受け部材は前記床部及び前記間仕切壁の両方に対して固定手段により固定されており、前記第２下側受け部材は前記床部及び前記間仕切壁のうち前記間仕切壁に対して固定手段により固定されていることを特徴とする請求項１乃至請求項３のいずれか１つに記載の建物の間仕切壁構造。
【請求項５】
前記第１下側受け部材及び前記第２下側受け部材は、前記間仕切壁の厚さ方向における前記第１底受け部の長さが前記第２底受け部の長さよりも長くなるように形成されていることを特徴とする請求項４に記載の建物の間仕切壁構造。
【請求項６】
前記第１下側受け部材は、前記間仕切壁の厚さ方向における前記第１底受け部の長さが前記間仕切壁の厚さよりも短く且つ当該厚さの半分よりも長くなるように形成されていることを特徴とする請求項４又は請求項５に記載の建物の間仕切壁構造。
【請求項７】
前記間仕切壁は、横フレーム材及び縦フレーム材が組み合わされてなる下地フレームと、前記縦フレーム材に固定され当該間仕切壁の壁面を構成する化粧材とを有してなり、
前記第１底受け部及び前記第２底受け部は、前記横フレーム材のうち前記間仕切壁の下端横フレーム材を受けるものであり、
前記第１起立部及び前記第２起立部によって前記下端横フレーム材の上端部と前記縦フレーム材との境界部位が覆われていることを特徴とする請求項１乃至請求項６のいずれか１つに記載の建物の間仕切壁構造。
【請求項８】
前記第１下側受け部材を前記床部に固定し、前記第１下側受け部材に前記間仕切壁を配置した後に、前記第２下側受け部材を前記間仕切壁に固定することを特徴とする請求項１乃至請求項７のいずれか１つに記載の建物の間仕切壁構造の施工方法。
【発明の詳細な説明】
【技術分野】
【０００１】
本発明は、建物の間仕切壁構造及びその施工方法に関する。
【背景技術】
【０００２】
建物の屋内空間を仕切る間仕切壁構造においては、床や天井に設けられた受け材に対して間仕切壁が固定されているものがある。例えばランナやスタッド等のフレーム材を組み合わせてなる下地フレームに対して壁面材を固定することで間仕切壁を形成し、ユニット化された間仕切壁を受け材に対して後付けすることにより、施工現場での作業効率の向上に貢献することができる。
【０００３】
近年では、床側の受け材を断面が略Ｌ字状となるように形成して床面に固定し、その受け材の上に間仕切壁を載置するようにした間仕切壁構造が提案されている（例えば、特許文献１参照）。受け材の底面部によって間仕切壁の上下位置が規定され、底面部から起立する起立部によって間仕切壁の前後位置が規定されるため、間仕切壁の配置や位置合わせを容易とし、上記作業効率の更なる向上が図られている。
【先行技術文献】
【特許文献】
【０００４】
【特許文献１】特開２０１３−２１７０９４号公報
【発明の概要】
【発明が解決しようとする課題】
【０００５】
しかしながら、上述した間仕切壁構造においては、施工時の作業効率の向上に貢献することができる反面、間仕切壁の姿勢の安定化等を実現する上で底面部の長さが嵩むことにより当該底面部の一部が間仕切壁から突出する可能性が高まる。これは、間仕切壁構造の外観を悪化させる要因となり得る。
【０００６】
本発明は、上記事情に鑑みてなされたものであり、施工現場での作業効率の向上を図りつつそれに起因した見栄えの低下を抑制することができる建物の間仕切壁構造及びその施工方法を提供することを主たる目的とするものである。
【課題を解決するための手段】
【０００７】
以下、上記課題を解決するのに有効な手段等につき、必要に応じて効果等を示しつつ説明する。なお以下においては、理解の容易のため、発明の実施の形態において対応する構成を括弧書き等で適宜示すが、この括弧書き等で示した具体的構成に限定されるものではない。
【０００８】
手段１．屋内空間を仕切る間仕切壁（間仕切壁５０）を備えた建物の間仕切壁構造において、
前記間仕切壁の上端部が挿入される挿入部（開放部分２２）が形成された上側受け部材（上側受け部材２１）と、
床部（床スラブ１２）及び前記間仕切壁の間に介在するようにして形成された第１底受け部（底板部２７ａ）と、当該第１底受け部から上方に起立して設けられ前記間仕切壁の一方の壁面に沿って延びる第１起立部（起立部２８ａ）とを有する第１下側受け部材（第１下側受け部材２５ａ）と、
前記床部及び前記間仕切壁の間に介在するようにして形成された第２底受け部（底板部２７ｂ）と、当該第２底受け部から上方に起立して設けられ前記間仕切壁の他方の壁面にっ沿って延びる第２起立部（起立部２８ｂ）とを有する第２下側受け部材（第２下側受け部材２５ｂ）と
を備えていることを特徴とする建物の間仕切壁構造。
【０００９】
手段１に示す間仕切壁構造においては、間仕切壁用の下側受け部材として第１下側受け部材及び第２下側受け部材が設けられている。このような構成では、間仕切壁の上端部を上側受け部材に挿入した状態で当該間仕切壁を第１下側受け部材（第１底受け部）に載置し、その後に第２下側受け部材を取り付けることが可能である。このようにして、作業の簡素化を図ることにより、施工現場における作業効率の向上を実現することができる。
【００１０】
一の下側受け部材のみを利用しようとすれば、間仕切壁の姿勢の安定化等を実現する上で底受け部の長さが嵩み、当該底受け部の一部が間仕切壁から突出する可能性が生じる。これは、間仕切壁構造（壁と床との取り合い部分）の見栄えの低下等の要因になり得るため好ましくない。この点、本手段に示すように間仕切壁を挟むようにして第１下側受け部材及び第２下側受け部材を配置すれば、それら２つの下側受け部材によって間仕切壁の姿勢を安定させることができる。これにより、上述したような底受け部の突出を抑制し、上記作業効率の向上に起因した見栄えの低下を好適に抑制することができる。
【００１１】
手段２．前記第１起立部が前記第１底受け部の端部に沿うようにして形成されることにより前記第１下側受け部材は断面略Ｌ字状をなしており、
前記第２起立部が前記第２底受け部の端部に沿うようにして形成されることにより前記第２下側受け部材は断面略Ｌ字状をなしていることを特徴とする手段１に記載の建物の間仕切壁構造。
【００１２】
手段２に示すように略Ｌ字状に形成された２つの下側受け部材によって間仕切壁を挟み込むことにより、両下側受け部材の配置が完了した状態では間仕切壁と底受け部との当接箇所（載置箇所）を両壁面寄りとなる位置にて確保することができ、間仕切壁の姿勢のばらつきを好適に軽減することができる。また、例えば底受け部を床部への固定箇所として利用することができるため、間仕切壁からの下側受け部材の無駄な突出が抑制されることとなる。故に、間仕切壁の姿勢を安定させることが見栄え低下の要因になることを好適に回避できる。
【００１３】
手段３．前記第１下側受け部材及び前記第２下側受け部材は、前記間仕切壁の下方において前記第１底受け部と前記第２底受け部との間に隙間が形成されるように設けられていることを特徴とする手段１又は手段２に記載の建物の間仕切壁構造。
【００１４】
手段１等に示したように第１／第２下側受け部材の一方を後付けとする場合には、床部と間仕切壁との隙間に底受け部を押し込む必要が生じる。この際、上記隙間が十分に確保されているのであればよいが、製造ばらつき等の影響によって隙間が想定よりも小さくなる可能性を否定できない。仮にこのような状況にて底受け部を強く押し込もうとすれば、床部等が削れることで両底受け部の間に削粉が挟まる可能性が高くなる。また、施工時に出た切粉等が床に散乱している場合には、このような切粉等を拾ってしまう可能性も高くなる。これらは、下側受け部材の配置を妨げる要因になるため好ましくない。この点、本特徴に示すように底受け部間に敢えて隙間が形成される構成とすれば、下側受け部材の一方を後付けとすることによって生じる上記課題を好適に解消することができる。
【００１５】
手段４．前記第１下側受け部材は前記床部及び前記間仕切壁の両方に対して固定手段（ビス３１ａ）により固定されており、前記第２下側受け部材は前記床部及び前記間仕切壁のうち前記間仕切壁に対して固定手段（ビス３１ｂ）により固定されていることを特徴とする手段１乃至手段３のいずれか１つに記載の建物の間仕切壁構造。
【００１６】
手段４によれば、床部に固定された第１下側受け部材に対して間仕切壁を配置した後に第２下側受け部材を配置することができる。このように第２下側受け部材の後付けが許容されることにより、手段１等に示した効果を好適に発揮させることができる。
【００１７】
手段５．前記第１下側受け部材及び前記第２下側受け部材は、前記間仕切壁の厚さ方向における前記第１底受け部の長さが前記第２底受け部の長さよりも長くなるように形成されていることを特徴とする手段４に記載の建物の間仕切壁構造。
【００１８】
２つの下側受け部材（底受け部）が間仕切壁の載置対象となる場合には、底受け部の長さに制約が生じる。ここで、第１底受け部を長くすることにより、第２下側受け部材が取り付けられるまでの間仕切壁の姿勢を無理なく安定させることができる。また、第２底受け部を短くすることにより当該第２底受け部の存在が第２下側受け部材の取付作業を難しくする要因になることを回避できる。このように、限られたスペースにて第１底受け部及び第２底受け部の長さを偏重させることには技術的意義がある。
【００１９】
手段６．前記第１下側受け部材は、前記間仕切壁の厚さ方向における前記第１底受け部の長さが前記間仕切壁の厚さよりも短く且つ当該厚さの半分よりも長くなるように形成されていることを特徴とする手段４又は手段５に記載の建物の間仕切壁構造。
【００２０】
第１底受け部を間仕切壁の厚さの半分よりも長くし且つ第２底受け部を間仕切壁の厚さの半分よりも短くすれば、手段５に示した安定性及び作業性の向上効果を好適に発揮させることができる。
【００２１】
なお、本特徴に示す構成を「前記第１下側受け部材は、前記第１底受け部の面積が前記第２下側受け部材の面積よりも大きくなるように構成されていることを特徴とする手段４又は手段５に記載の建物の間仕切壁構造。」としてもよいし、「前記第１下側受け部材は、前記第１底受け部の先端部分が前記間仕切壁の重心位置と前記他方の壁面との間に位置するように形成されていることを特徴とする手段４又は手段５に記載の建物の間仕切壁構造。」としてもよい。
【００２２】
手段７．前記間仕切壁は、横フレーム材（ランナ６１）及び縦フレーム材（スタッド７１）が組み合わされてなる下地フレーム（下地フレーム５１）と、前記縦フレーム材に固定され当該間仕切壁の壁面を構成する化粧材（パネル材８１）とを有してなり、
前記第１底受け部及び前記第２底受け部は、前記横フレーム材のうち前記間仕切壁の下端横フレーム材を受けるものであり、
前記第１起立部及び前記第２起立部によって前記下端横フレーム材の上端部と前記縦フレーム材との境界部位（境界部位ＢＬ１）が覆われていることを特徴とする手段１乃至手段６のいずれか１つに記載の建物の間仕切壁構造。
【００２３】
手段７によれば、下側受け部材を配置した状態では、横フレーム材の上端部と縦フレーム材との境界部位が起立部によって覆われることとなる。このように、下側受け部材によって境界部位の露出を抑える構成とすれば、構成の複雑化を回避しつつ見栄えの向上に貢献することができる。
【００２４】
なお、手段１等に示したように、第１下側受け部材及び第２下側受け部材を併用する構成においては、仮に起立部の底受け部からの起立量が大きくなったとしても実質的な作業性の悪化は回避される。故に、上記効果を享受するにあたり、横フレーム材と縦フレーム材との大きさ等に係る制約が生じることが回避される。
【００２５】
手段８．前記第１下側受け部材を前記床部に固定し、前記第１下側受け部材に前記間仕切壁を配置した後に、前記第２下側受け部材を前記間仕切壁に固定することを特徴とする手段１乃至手段７のいずれか１つに記載の建物の間仕切壁構造の施工方法。
【００２６】
手段８に示すように、第１下側受け部材→間仕切壁→第２下側受け部材の順に配置することにより、施工時の作業性の向上に起因した見栄えの低下を好適に回避し得る。
【図面の簡単な説明】
【００２７】
【図１】一実施の形態における建物の間仕切壁及びそれに関連する構成を示す斜視図。
【図２】間仕切壁及びそれに関連する構成を示す建物の縦断面図。
【図３】（ａ）間仕切壁の上側取付部分を示す図１の部分拡大図、（ｂ）間仕切壁の下側取付部分を示す図２の部分拡大図。
【図４】間仕切壁の施行の流れを示す概略図。
【図５】変形例を示す概略図。
【発明を実施するための形態】
【００２８】
以下、本発明を具体化した一実施形態を図１及び図２に基づいて説明する。本実施の形態では、住宅や店舗等の建物に設けられ屋内空間を仕切る間仕切壁構造について具体化されている。図１は建物の間仕切壁及びそれに関連する構成を示す斜視図、図２は間仕切壁及びそれに関連する構成を示す建物の縦断面図である。
【００２９】
図１に示すように、間仕切壁構造は、間仕切壁５０と、間仕切壁５０の取付対象（詳しくは天井の下地材１１に固定された上側受け部材２１及び床スラブ１２に固定された複数の下側受け部材２５）とにより構築されている。上側受け部材２１は、間仕切壁５０の幅方向に延びており、下方に開放された溝状（断面略コ字状）をなしている。各下側受け部材２５についても間仕切壁５０の幅方向に延びており、それらが全体として上方に開放された溝状（断面略コ字状）をなすように並設されている。これら受け部材２１，２５によって形成された各開放部分２２，２６に間仕切壁５０の上端部分及び下端部分が挿入されている。
【００３０】
図２に示すように、間仕切壁５０は、床及び天井に沿うように形成された１組のランナ６１及びそれらランナ６１を繋ぐ複数のスタッド７１により構成された下地フレーム５１と、下地フレーム５１を挟んだ両側に設けられたパネル材８１とを有してなり、パネル材８１が下地フレーム５１（詳しくはスタッド７１）に固定されることでユニット化されている。間仕切壁５０は工場にてユニット化された状態で施工現場に搬送される構成となっており、施工現場への搬送前に間仕切壁５０を形成しておくことで施工現場での作業負担の軽減を図っている。このような方式を適用することにより、施工現場での作業の効率化や品質管理の容易化等の各種効果が期待できる。
【００３１】
パネル材８１は、アルミ複合板であり「化粧材」又は「仕上材」としての機能が付与されている。図３（ａ）（図１の部分拡大図）に示すように、パネル材８１にはコンセント８５が取り付けられており、パネル材８１によって挟まれた領域がコンセント８５に接続された配線８６の配設領域となっている。上側のランナ６１には配線孔６５が形成されており、上側受け部材２１には当該配線孔６５に連通するようにして連通孔２３が形成されている。配線８６はこれら配線孔６５及び連通孔２３を通じて間仕切壁５０の外に延出している。
【００３２】
本実施の形態に示す間仕切壁構造においては、下側受け部材２５及びそれに関連する構成が特徴的なものとなっている。以下、図３（ｂ）を参照してこの特徴的な構成について説明する。図３（ｂ）は図２の部分拡大図である。
【００３３】
床側のランナ６１は、上記下側受け部材２５を隔てて床スラブ１２と対峙する長板状のベース部６２と、ベース部６２の各長辺から上方に起立して設けられた一対のフランジ部６３とを有し、上方に開放された溝状をなしている。スタッド７１の下端部にはランナ６１の溝部６４に挿入される挿入部７４が形成されており、この挿入部７４がランナ６１に固定されている。
【００３４】
スタッド７１は、上下に延びる長板状をなし板面がランナ６１の長手方向を向くように形成されたベース部７２と、ベース部７２の各長辺から起立して設けられた一対のフランジ部７３とを有し、全体として間仕切壁５０の側方に開放された溝状をなしている。フランジ部７３の間隔は、挿入部７４にてランナ６１のフランジ部６３の間隔に合せて小さくなるように部分的に減縮されている。これにより、ランナ６１のフランジ部６３とスタッド７１のフランジ部７３とが同一平面上に位置し、ランナ６１（フランジ部６３）の上端部とスタッド７１との境界部位ＢＬ１における段差の発生が回避されている。なお、下地フレーム５１については、スタッド７１のフランジ部７３にて上記挿入部７４よりも上側に位置する部分にパネル材８１用の固定部としての機能が付与されている。
【００３５】
下側受け部材２５は、間仕切壁５０（詳しくはランナ６１）と床スラブ１２との間に介在し当該ランナ６１に沿って延びる長板状の底板部２７と、底板部２７における一方の長辺から上方に起立し下地フレーム５１にパネル材８１の正面側から対峙する起立部２８とを有しており、断面が略Ｌ字状をなすように形成されている。起立部２８はパネル材８１と同一平面上に位置しており、その起立量については先端部分（パネル材８１との境界部位ＢＬ２）が上記境界部位ＢＬ１よりも上方に位置するように、具体的にはパネル材８１の下端と近接又は当接するように形成されている。これにより、境界部位ＢＬ１が下側受け部材２５によって覆われている。間仕切壁５０における壁面の一部を補完する下側受け部材２５を利用して境界部位ＢＬ１の露出を抑えることにより、構成の複雑化を回避しつつ間仕切壁５０の見栄えを向上することができる。
【００３６】
下側受け部材２５は、間仕切壁５０の厚さ方向に並設された第１下側受け部材２５ａ及び第２下側受け部材２５ｂによって構成されている。これら第１下側受け部材２５ａ及び第２下側受け部材２５ｂについては一部の構成が相違している。以下、これら相違する構成について説明する。
【００３７】
第１下側受け部材２５ａは、固定具としてのビス３１ａによって底板部２７ａが床スラブ１２に固定され且つ起立部２８ａが間仕切壁５０の下地フレーム５１（詳しくはランナ６１）に固定されている。これに対して第２下側受け部材２５ｂは、ビス３１ｂによって起立部２８ｂが下地フレーム５１（詳しくはランナ６１）に固定されているものの、底板部２７ｂについては非固定となっている。つまり、第１下側受け部材２５ａと第２下側受け部材２５ｂとでは固定対象が相違している。このような固定対象の違いについては、間仕切壁構造の施工の流れに関係している。そこで以下、図４の概略図を参照して、間仕切壁構造の施工の流れについて説明する。
【００３８】
間仕切壁構造の施工時には、先ずビス３１ａを用いて第１下側受け部材２５ａを床スラブ１２に固定する（図４（ａ）参照）。その後、間仕切壁５０の上端部を上側受け部材２１の開放部分２２に挿入し、当該間仕切壁５０を第１下側受け部材２５ａ（詳しくは底板部２７ａ）に載せる。図４（ｂ）に示すように、第１下側受け部材２５ａの起立部２８ａに対して間仕切壁５０を当接させた後は、ビス３１ａを用いて間仕切壁５０と第１下側受け部材２５ａとを固定する。
【００３９】
間仕切壁５０と第１下側受け部材２５ａとを固定した後は、図４（ｃ）に示すように、第２下側受け部材２５ｂを配置する。具体的には、床スラブ１２と間仕切壁５０との隙間に底板部２７ｂを挿入するようにして第２下側受け部材２５ｂを配置する。第２下側受け部材２５ｂの起立部２８ｂが間仕切壁５０に当接した後は、図４（ｄ）に示すようにビス３１ｂを用いて第２下側受け部材２５ｂを間仕切壁５０に固定する。固定作業を終えた後は、ビス３１ａ，３１ｂの頭部（間仕切壁５０から露出している部分）にキャップを取り付ける。これにより、ビス３１ａ，３１ｂが保護される。以上の手順により間仕切壁構造の施工が完了した後に床スラブ１２に床面を構成するタイルが敷設されることとなる。
【００４０】
なお、上記キャップを取り外すことによりビス３１ａ，３１ｂへのアクセスが可能となり、間仕切壁５０の取り外しが許容されることとなる。このように、簡易な手順で間仕切壁５０の取り外しを許容することは、例えば間仕切壁５０の入れ替えやリユース等を促進する上で好ましい。
【００４１】
本実施の形態に示すように略Ｌ字状に形成された２つの下側受け部材２５ａ，２５ｂによって間仕切壁５０を挟み込む構成とすれば、両下側受け部材２５ａ，２５ｂの配置が完了した状態では間仕切壁５０と底板部２７ａ，２７ｂとの当接箇所（載置箇所）を当該間仕切壁５０の両壁面寄りとなる位置にて確保することができ、間仕切壁５０の姿勢のばらつきを好適に軽減することができる。また、底板部２７ａを床スラブ１２への固定箇所として利用することにより間仕切壁５０の壁面からの底板部２７ａの突出を回避している。これは、上記作業効率の向上に起因した間仕切壁構造（壁と床との取り合い部分）の見栄えの低下を抑制する上で有利な構成である。
【００４２】
ここで、上述の如く２つの下側受け部材２５ａ，２５ｂを併用する場合には、施工中に第１下側受け部材２５ａ単独で間仕切壁５０を受ける期間が生じる。この際に間仕切壁５０の姿勢が不安定になってしまうと、ビス３１ａによる固定作業や第２下側受け部材２５ｂの配置作業がやりづらくなると懸念される。本実施の形態においては、このような事情に配慮して、第１下側受け部材２５ａの底板部２７ａ及び第２下側受け部材２５ｂの底板部２７ｂが工夫されている。
【００４３】
具体的には、間仕切壁５０の厚さ方向における第１下側受け部材２５ａの底板部２７ａの長さ寸法Ｌ１については、間仕切壁５０の厚さ寸法Ｔ１の半分よりも長くなっており、間仕切壁５０の重心位置が底板部２７ａの上方に位置するように構成されている。このように、事前に固定される第１下側受け部材２５ａの底板部２７ａにある程度の長さを確保することにより、第１下側受け部材２５ａ単独で間仕切壁５０を受けている場合であっても、間仕切壁５０の姿勢を安定させることが可能となっている。
【００４４】
これに対して、間仕切壁５０の厚さ方向における、第２下側受け部材２５ｂの底板部２７ｂの長さ寸法Ｌ２は、間仕切壁５０の厚さ寸法Ｔ１の半部よりも短く（詳しくは長さ寸法Ｌ１よりも短く）なるように構成されている。第２下側受け部材２５ｂの配置完了後の「受け部材」としての機能を担保しつつ底板部２７ｂを極力短くすることにより、底板部２７ｂの存在が第２下側受け部材２５ｂの配置作業の妨げになることを抑制できる。
【００４５】
但し、間仕切壁５０→第２下側受け部材２５ｂの順に配置する場合には、床スラブ１２と間仕切壁５０との隙間に当該第２下側受け部材２５ｂの底板部２７ｂを押し込む必要が生じる。この際、上記隙間が十分に確保されているのであればよいが、製造ばらつき等の影響によって隙間が想定よりも小さくなる可能性を否定できない。仮にこのような状況にて底板部２７ｂを強く押し込もうとすれば、床スラブ１２等が削れることで両下側受け部材２５ａ，２５ｂ（底板部２７ａ，２７ｂ）の間に削粉が挟まる可能性が高くなる。また、施工時に出た切粉等が床に散乱している場合には、このような切粉等を拾ってしまう可能性も高くなる。これらは、第２下側受け部材２５ｂの配置を妨げる要因となったり第２下側受け部材２５ｂの位置精度を低下させる要因になったりするため好ましくない。
【００４６】
この点、本実施の形態においては、図３（ｂ）に示すように、第１下側受け部材２５ａの底板部２７ａの長さ寸法Ｌ１と第２下側受け部材２５ｂの底板部２７ｂの長さ寸法Ｌ２との和が間仕切壁５０の厚さ寸法Ｔ１よりも小さくなっており、両底板部２７ａ，２７ｂの間に隙間が形成される構成となっている。つまり、この隙間を上述した削粉等の逃げ場として機能させることができる。これにより、第１下側受け部材２５ａ→間仕切壁５０→第２下側受け部材２５ｂの順に配置する構成であっても、上述した不都合の発生を好適に抑制することができる。
【００４７】
なお、上述した実施の形態の記載内容に限定されず、例えば次のように実施してもよい。因みに、以下の別形態の構成を、上記実施の形態における構成に対して、個別に適用してもよく、相互に組み合わせて適用してもよい。
【００４８】
（１）上記実施の形態では、第１下側受け部材２５ａの底板部２７ａ（「第１底受け部」に相当）の長さ寸法Ｌ１を、第２下側受け部材２５ｂの底板部２７ｂ（「第２底受け部」に相当）の長さ寸法Ｌ２よりも大きくしたが、これに限定されるものではない。両底板部２７ａ，２７ｂの長さ寸法Ｌ１、Ｌ２を揃えることも可能である。また、第１下側受け部材２５ａの底板部２７ａの長さ寸法を第２下側受け部材２５ｂの底板部２７ｂの長さ寸法よりも小さくすることも可能である。
【００４９】
但し、施工時に後で取り付けられる第２下側受け部材２５ｂの底板部２７ｂが長くなれば、第２下側受け部材２５ｂの取り付けが難しくなえり得る。また、事前に取り付けられる第１下側受け部材２５ａの底板部２７ａが短くなることで間仕切壁５０の姿勢が不安定になると懸念される。故に、望ましくは先に取り付けられる第１下側受け部材２５ａの底板部２７ａを後で取り付けられる第２下側受け部材２５ｂの底板部２７ｂよりも長くすることが好ましい。
【００５０】
（２）上記実施の形態では、第１下側受け部材２５ａの底板部２７ａの長さ寸法Ｌ１を間仕切壁５０の厚さ寸法Ｔ１の１／２よりも大きくした。ここで、上記変形例（１）に示した課題に配慮した場合には、第１下側受け部材２５ａの起立部２８ａに間仕切壁５０が当接している状態では当該第１下側受け部材２５ａの底板部２７ａの上方に間仕切壁５０の重心位置が位置する構成であれば足り、必ずしも上記実施の形態に示した大きさとする必要はない。
【００５１】
（３）上記実施の形態では、間仕切壁構造の施工が完了した状態にて、第１下側受け部材２５ａの底板部２７ａと第２下側受け部材２５ｂの底板部２７ｂとの間に隙間が形成される構成としたが、この隙間の有無については任意である。間仕切壁構造の施工が完了した状態にて底板部２７ａ，２７ｂ同士が当接する構成としてもよい。
【００５２】
（４）上記実施の形態では、下側受け部材２５における起立部２８の上端部がランナ６１（「横フレーム材」に相当）の上端部（境界部位ＢＬ１）よりも上方に位置する構成とすることにより当該境界部位ＢＬ１を下側受け部材２５によって覆う構成としたがこれに限定されるものではない。起立部２８の上端部がランナ６１の上端部と同じ高さ位置となるように構成してもよいし、ランナ６１の上端部よりも下方に位置する構成としてもよい。
【００５３】
（５）上記実施の形態では、底板部２７の端部に起立部２８（「第１起立部」及び「第２起立部」に相当）を配設することにより下側受け部材２５を略Ｌ字状に形成したが、底板部２７と起立部２８との位置関係を変更し下側受け部材２５を略Ｔ字状に形成することも可能である。
【００５４】
但し、下側受け部材２５の配置対象である床スラブ１２（「床部」に相当）にタイル材が配設されることに鑑みれば、下側受け部材２５にて間仕切壁５０とは反対側へ突出する部分を不具備とすることがタイル材の配置や配置後の見栄えを向上させる上で有利である。故に、望ましくは上記実施の形態に示したように、下側受け部材２５については間仕切壁５０とは反対側に凸となる部分が不具備となるように形成するとよい。
【００５５】
（６）上記実施の形態では、パネル材８１（「化粧材」に相当）の固定対象をスタッド７１（「縦フレーム材」に相当）としたが、これに代えて又は加えてランナ６１（「横フレーム材」に相当）をパネル材８１の固定対象としてもよい。
【００５６】
（７）上記実施の形態では、下側受け部材２５の起立部２８に所謂「幅木」としての機能を付与したが、下側受け部材２５とは別に幅木を取り付けることも可能である。この場合、幅木の固定対象については下側受け部材２５としてもよいし、間仕切壁５０（例えばランナ６１）としてもよい。
【００５７】
（８）上記実施の形態に示した上側受け部材２１についても下側受け部材２５と同様に複数に分割することも可能である。例えば、図５の概略図に示すように、間仕切壁５０の厚さ方向に離間して設けられた第１上側受け部材２１ａＸ及び第２上側受け部材２１ｂＸの隙間（スリット２２Ｘ）を配線８６の配設経路として利用する構成としてもよい。
【００５８】
（９）上記実施の形態では、工場にて組み立てられた間仕切壁５０を施工現場にて組み付ける場合について例示したが、例えば施工現場にて組み立てられた間仕切壁の設置に際して上述した施工方法を適用してもよい。
【００５９】
（１０）上記実施の形態に示した間仕切壁構造の施工手順については以下のように変更することも可能である。すなわち、第１下側受け部材２５ａを床スラブ１２に固定した後に間仕切壁５０を当該第１下側受け部材２５ａの底板部２７ａに載置し、第２下側受け部材２５ｂの配置後に両下側受け部材２５ａ，２５ｂと間仕切壁５０とを固定することも可能である。
【符号の説明】
【００６０】
１２…床部としての床スラブ、２１…上側受け部材、２５ａ…第１下側受け部材、２５ｂ…第２下側受け部材、２７ａ，２７ｂ…底受け部としての底板部、２８ａ，２８ｂ…起立部、３１ａ，３１ｂ…固定手段としてのビス、５０…間仕切壁、６１…横フレーム材としてのランナ、７１…縦フレーム材としてのスタッド、８１…化粧材としてのパネル材、ＢＬ１，ＢＬ２…境界部位。
【図１】
2016223099.tif 000003
【図２】
2016223099.tif 000004
【図３】
2016223099.tif 000005
【図４】
2016223099.tif 000006
【図５】
2016223099.tif 000007